(57)【特許請求の範囲】
【請求項１】
グリップを備えている第１筒と、石突を備えている第２筒と、該第１筒と第２筒との間に配置されている少なくとも一つの中間筒と、を備えている折り畳み式ステッキにおいて、
前記第１筒は、可撓性のある係止部を有する係止部材と、一端が前記係止部材に取り付けられていて他端が前記第２筒に取り付けられているワイヤー部材と、前記係止部材を一方へ付勢しているばね部材と、被係止部を有しているストッパ部と、押圧部を有していてストッパ部の近傍に配置されている係止解除ボタンと、を備えていて、
前記ストッパ部は、その最も間隔の狭い場所が、前記係止部材の係止部よりも狭くなっていて、
前記係止部材は、前記ばね部材の付勢力に抗して他方へ移動したときに、前記ストッパ部の最も間隔の狭い場所を通過する際に前記係止部を撓ませながら移動していき、該係止部が復元することで前記被係止部と係止し、
前記係止解除ボタンは、前記係止部材が前記ストッパ部により係止されているときに、前記押圧部が前記係止部材の係止部を押圧することで係止を解除することを特徴とする折り畳み式ステッキ。
【請求項２】
前記第１筒と前記中間筒との間には、両端に固定部材を取り付けている第２のワイヤーが配置されていて、
前記第１筒の端部及び前記中間筒の端部に形成されている連結部は、それぞれ、前記ワイヤー及び前記第２のワイヤーを挿通している抜け止め部材と、前記抜け止め部材に対して接触し得る接触部と、を備えていて、
連結解除状態においては、前記第２のワイヤーの両端に取り付けられている前記固定部材が前記抜け止め部材と前記接触部を介して前記連結部同士を吊り下げることにより、前記第１筒から前記中間筒を吊り下げるようにしたことを特徴とする請求項１に記載の折り畳み式ステッキ。
【請求項３】
前記ばね部材として、定荷重ばねを用いていることを特徴とする請求項１又は２に記載の折り畳み式ステッキ。
【発明の詳細な説明】
【技術分野】
【０００１】  本発明は、折り畳み可能な機構を備えたステッキに関する。
【背景技術】
【０００２】  従来、歩行の補助に用いるステッキとして、不使用時に手提袋等に入れて持ち運べるように、折り畳み可能に構成されたステッキが知られている。ステッキを折り畳み可能にするための構成としては、ステッキのシャフト部を複数のパイプに分割して、それぞれのパイプにゴム等の弾性を有する連結紐を通し、連結紐の弾性を利用してそれぞれのパイプを互いに密着させる構成が知られている。このようなゴム紐を用いた折り畳み式のステッキの一例が特許文献１に記載されている。【０００３】  また、ステッキを折り畳み可能にするための構成として複数のパイプを連結する際に、ゴム紐の代わりにばねとワイヤーを用いて、ばねの付勢力によりそれぞれのパイプを互いに密着させる構成が特許文献２に記載されている。この特許文献２に記載の折り畳み機構は、それぞれの連結部に対して、連結時には両端にワイヤー止めリングを取り付けているワイヤーを押しばね９で付勢し、連結解除時には押しばね９を圧縮させた状態で留めることで押しばね９の付勢力をなくしてパイプ同士の連結を解除できるようにしている（引用文献２の［図４］等を参照］）。
【先行技術文献】
【特許文献】
【０００４】
【特許文献１】実用新案登録公報第３１５６００４号公報
【特許文献２】特開２００４−３２９８３９号公報
【発明の概要】
【発明が解決しようとする課題】
【０００５】  特許文献１に記載のステッキの折り畳み機構は、弾性を有する一本の連結紐５５を用いて、第１のパイプ体３から第１中間パイプ体５，第２中間パイプ体７，第３中間パイプ体９を通して第２のパイプ体１１までを連結している。そのため、折り畳み状態から連結状態にする場合には、第１のパイプ体３と第２のパイプ体１１の間に働く連結紐の弾性力により、第１中間パイプ体５，第２中間パイプ体７，第３中間パイプ体９を一度に連結することができる。しかし、このように構成した場合には、折り畳み状態にしたときにも連結紐５５に弾性力が働いているため、例えば引用文献１の［図２］のように折り畳んだ状態では各パイプ体が一直線に戻ろうとするように弾性力が作用し、連結状態にしようとするときに各パイプ体が一直線になるように強く動かされてしまい、使用者が怪我をしてしまう危険性がある。【０００６】  特許文献２に記載のステッキの折り畳み機構は、特許文献１に記載のステッキとは異なり、各パイプの連結に弾性を有する連結紐を用いていない。そのため、特許文献１に記載のステッキのように連結状態にしようとするときに各パイプが一直線になるように動かされることはないので、使用者が怪我をする危険性はない。しかし、特許文献２に記載のステッキは、それぞれの連結部に個別に連結機構が設けられているため、ステッキを連結状態にするときに使用者が一つずつ連結部を差し込む必要があり、手間がかかるという問題があった。【０００７】  本発明は、これらのような問題を解決するためになされたものであり、その目的とするところは、折り畳み状態から連結状態にする際に各部品が連結紐の弾性により勝手に動かされることがなく、しかも、簡単な操作で連結状態にすることが可能な折り畳み式ステッキを提供することである。
【課題を解決するための手段】
【０００８】
上記の目的を達成するために、本発明の折り畳み式ステッキは、グリップを備えている第１筒と、石突を備えている第２筒と、該第１筒と第２筒との間に配置されている少なくとも一つの中間筒と、を備えている折り畳み式ステッキにおいて、前記第１筒は、可撓性のある係止部を有する係止部材と、一端が前記係止部材に取り付けられていて他端が前記第２筒に取り付けられているワイヤー部材と、前記係止部材を一方へ付勢しているばね部材と、被係止部を有しているストッパ部と、押圧部を有していてストッパ部の近傍に配置されている係止解除ボタンと、を備えていて、前記ストッパ部は、その最も間隔の狭い場所が、前記係止部材の係止部よりも狭くなっていて、前記係止部材は、前記ばね部材の付勢力に抗して他方へ移動したときに、前記ストッパ部の最も間隔の狭い場所を通過する際に前記係止部を撓ませながら移動していき、該係止部が復元することで前記被係止部と係止し、前記係止解除ボタンは、前記係止部材が前記ストッパ部により係止されているときに、前記押圧部が前記係止部材の係止部を押圧することで係止を解除する。
【０００９】
その場合、前記第１筒と前記中間筒との間には、両端に固定部材を取り付けている第２のワイヤーが配置されていて、前記第１筒の端部及び前記中間筒の端部に形成されている連結部は、それぞれ、前記ワイヤー及び前記第２のワイヤーを挿通している抜け止め部材と、前記抜け止め部材に対して接触し得る接触部と、を備えていて、連結解除状態においては、前記第２のワイヤーの両端に取り付けられている前記固定部材が前記抜け止め部材と前記接触部を介して前記連結部同士を吊り下げることにより、前記第１筒から前記中間筒を吊り下げるようにすると好適である。
【００１０】  また、上記のいずれの場合であっても、前記ばね部材として、定荷重ばねを用いているようにすると好適である。
【発明の効果】
【００１１】  本発明によれば、グリップを備えている第１筒と石突を備えている第２筒とを結ぶワイヤーを、第１筒に備えられているばね部材を用いて付勢するとともに、ワイヤーを取り付けている係止部材を係止できるようにしたので、ワイヤーを付勢しているばね部材の弾性により折り畳み状態から連結状態にする際に各部品が勝手に動かされることがなく、しかも、簡単な操作で連結状態にすることが可能な折り畳み式ステッキを得ることができる。
【図面の簡単な説明】
【００１２】
【図１】本発明に係る折り畳み式ステッキの、連結状態を示した全体図である。
【図２】本発明に係る折り畳み式ステッキの、連結状態における第１筒１の内部を示した図である。
【図３】本発明に係る折り畳み式ステッキの、第１筒１と中間筒３との間の連結部分の構造を示した図である。
【図４】本発明に係る折り畳み式ステッキの、第２筒２の構造を示した図である。
【図５】本発明に係る折り畳み式ステッキの、連結解除状態における第１筒１の内部を示した図である。
【図６】本発明に係る折り畳み式ステッキの全体図であり、（ａ）は連結解除状態を、（ｂ）は折り畳み状態を示した図である。
【発明を実施するための形態】
【００１３】  本発明を実施するための形態を、図面を用いて詳細に説明する。
【００１４】  まず、図１を用いて本発明に係る折り畳み式ステッキの構造を説明する。本発明に係る折り畳み式ステッキは、グリップを備えている第１筒１と、ゴム製の石突きを取り付けている第２筒２と、第１筒１と第２筒２との間に配置されている中間筒３，４からなっている。そして、これらの第１筒１，第２筒２，中間筒３，４は、それぞれ中が空洞になっている。
【００１５】  次に、図２を用いて、第１筒１の内部構造を説明する。第１筒１には、グリップの近傍に、ばね部材５が配置されている。このばね部材５は、定荷重ばねである二つのコンストン（登録商標、以下省略する）ばね５ａ，５ｂを組み合わせて構成しており、それぞれのコンストンばねの先端に係止部材６を取り付けている。係止部材６は、その中央に係止用爪部６ａを形成していて、一方の端部は二つのコンストンばね５ａ，５ｂと連結されており、他方の端部はワイヤー７を連結されている。これらの二つのコンストンばね５ａ，５ｂは、図２に示した状態が最も巻き上げられている状態である。そして、第１筒１の内部には、係止部材６の係止用爪部６ａを掛けて係止するためのストッパ部１ａが形成されている。このストッパ部１ａは、最も間隔の狭い場所が、係止部材６の係止用爪部６ａの横幅よりも狭くなるように設計されていて、係止部材６がストッパ部１ａの近傍を通過するときには係止用爪部６ａを撓ませながら通過することになる。
【００１６】  ストッパ部１ａの近傍には、係止解除ボタン８が備えられている。この係止解除ボタン８は、頭部８ａが第１筒１の外部に飛び出しており、先端部８ｂが第１筒１の内部にある。そして、ばね８ｃにより全体として第１筒１の外部に飛び出す方向に付勢されているが、先端部８ｂが第１筒１の内壁と接して抜け止めの役目をしている。この係止解除ボタン８が押されると、係止解除ボタン８はばね８ｃに付勢力に抗して第１筒１の内部に押し込まれ、その先端部８ｂが第１筒１の径方向の中心方向に移動する。その後、係止解除ボタン８を押すのをやめると、係止解除ボタン８はばね８ｃの付勢力により第１筒１の外側に向けて移動するが、先端部８ｂが第１筒１の内壁と接したところで停止する。
【００１７】  次に、図３を用いて、第１筒１，第２筒２，中間筒３，４の連結部分の構造を説明する。図３に第１筒１と中間筒３の間の連結部分の構造を示しているが、他の筒との連結部分の構造も同様である。第１筒１の中間筒３側の端部には、凹形状の連結部１ｂが形成されている。連結部１ｂは、ガイド部１ｂ−１を有している。また、第１筒１の内部には、連結部１ｂの近傍に接触部１ｃが形成されている。ガイド部１ｂ−１は、傾斜面として形成されていて、後述する連結部３ａのテーパー部３ａ−１と同じ角度の傾斜面である。また、接触部１ｃは、第１筒１の内径よりも狭い内径を有するように形成されている。
【００１８】  中間筒３の第１筒１側の端部には、凸形状の連結部３ａが形成されている。連結部３ａは、テーパー部３ａ−１と、テーパー部３ａ−２とを有している。また、中間筒３の内部には、連結部３ａの近傍に接触部３ｂが形成されている。テーパー部３ａ−１は、前述のように、ガイド部１ｂ−１と同じ角度の傾斜面であり、第１筒１と中間筒３とを連結したときにガイド部１ｂ−１とテーパー部３ａ−１とは面接触するようになっている。また、接触部３ｂは、中間筒３の内径よりも狭い内径を有するように形成されている。
【００１９】  第１筒１の内部には、接触部１ｃよりも第１筒１の中央側に抜け止め部材９が配置されている。抜け止め部材９には、二つの孔９ａ，９ｂが形成されていて、その外径は第１筒１の内径よりも小さく接触部１ｃの内径よりも大きい。抜け止め部材９の孔９ａには、ワイヤー７が挿通されていて、孔９ｂには、ワイヤー１０が挿通されている。
【００２０】  中間筒３の内部には、接触部３ｂよりも中間筒３の中央側に抜け止め部材１１が配置されている。抜け止め部材１１には、二つの孔１１ａ，１１ｂが形成されていて、その外径は中間筒３の内径よりも小さく接触部３ｂの内径よりも大きい。抜け止め部材１１の孔１１ａには、ワイヤー７が挿通されていて、孔１１ｂには、ワイヤー１０が挿通されている。後述の固定部材１２，１３とは異なり、これらの抜け止め部材９，１１は二本のワイヤー７，１０に対して固定されていない。また、図３を参照すれば分かるように、ワイヤー１０はワイヤー７よりも短く、第１筒１と中間筒３との間の連結部と、中間筒３と中間筒４との間の連結部に一本ずつ、計二本備えられている。
【００２１】  ワイヤー１０は、その両端、すなわち抜け止め部材９よりも第１筒１の中央側の位置と抜け止め部材１１よりも中間筒３の中央側の位置に固定部材１２，１３が固定されている。これらの固定部材１２，１３は、その外径が抜け止め部材９，１１の孔９ｂ，１１ｂよりも大きい。また、これらの固定部材１２，１３は、ワイヤー１０に対して固定されている。
【００２２】  中間筒３と中間筒４との間の連結部分の構造も、第１筒１と中間筒３との間の連結部分の構造と同様である。詳細な説明は省略するが、図６（ａ）等に示されているように、中間筒３の中間筒４側の端部には凹形状の連結部３ｃが設けられていて、中間筒４の中間筒３側の端部には凸形状の連結部４ａが設けられている。連結部３ｃはガイド部３ｃ−１を有していて、連結部４ａはテーパー部４ａ−１，４ａ−２を有している。また、中間筒３の内部には連結部３ｃの近傍に接触部が形成されているとともに中間筒４の内部には連結部４ａの近傍に接触部が形成されているが、これらは図示を省略している。更に、中間筒３，４の内部には、第１筒１と中間筒３との間の連結部分の構造と同様に、抜け止め部材９，１１が配置されていて、それぞれの抜け止め部材にはワイヤー７と両端に固定部材１２，１３を取り付けたワイヤー１０が挿通されているが、これらについても図示を省略している。
【００２３】  中間筒４と第２筒２との間の連結部分の構造は、他の筒の連結部分の構造とは異なる。まず、中間筒４の連結部分の構造を説明する。中間筒４の第２筒２側の端部には凹形状の連結部４ｂが設けられている。連結部４ｂはガイド部４ｂ−１を有している。また、中間筒４の内部には連結部４ｂの近傍に接触部が形成されているが、これは図示を省略している。中間筒４の第２筒２側の端部には、他の連結部分の構造とは異なり、内部に抜け止め部材が配置されていない。また、ワイヤー１０も配置されておらず、ワイヤー７が通されているだけである。
【００２４】  次に、図４を用いて、第２筒２の構造を説明する。第２筒２は、二つの筒を重ねて一つの筒としている。この二つの筒のうち、中間筒４側にある筒２Ａは、外径及び内径が第１筒１，中間筒３，４と同じである。そして、もう一つの筒２Ｂは、筒２Ａに重なって配置されており、その内径が筒２Ａの外径とほぼ同じとなっている。
【００２５】  筒２Ａの中間筒４側の端部には、凸形状の連結部２Ａａが形成されている。連結部２Ａａは、テーパー部２Ａａ−１と、テーパー部２Ａａ−２とを有している。そして、筒２Ａの内部には、ワイヤー取付部２Ａｂが設けられていて、ワイヤー７の端部が取り付けられている。
【００２６】  筒２Ｂには、複数の孔２Ｂａが設けられている。そして、筒２Ａには、孔２Ｂａと嵌合するボタン２Ａｃが設けられていて、該ボタン２Ａｃはばね２Ａｄにより筒２Ａの径方向外側に付勢されている。筒２Ａ，２Ｂはこのように構成されているため、筒２Ｂの複数の孔２Ｂａのどこにボタン２Ａｃを挿入するかによって、第２筒２全体の長さを調整することができる。ボタン２Ａｃが孔２Ｂａに挿入されているときは、ボタン２Ａｃによって筒２Ｂが係止状態となっていて、筒２Ａ，２Ｂは角度方向へも長さ方向へも移動しない。第２筒２全体の長さを変更したい場合には、ボタン２Ａｃを押しこんで筒２Ｂの係止を解除し、適切な孔２Ｂａにボタン２Ａｃの位置に合わせると、ばね２Ａｄの付勢力によりボタン２Ａｃが孔２Ｂａに挿入される。このようにすることで、第２筒２全体の長さを調整し、結果的に、本発明に係る折り畳み式ステッキ全体の長さを調整することが可能になる。
【００２７】  次に、本発明に係る折り畳み式ステッキの使用方法を、図１，２、５，６を用いて説明する。本発明に係る折り畳み式ステッキは、連結状態では、図１に記載されているように第１筒１から第２筒２までの各筒が連結されている。この状態から、折り畳み状態にする場合には、まず、第１筒１を押さえながら第２筒２を杖の長さ方向に引っ張る。すると、第２筒２の筒２Ａのワイヤー取付部２Ａｂに一方の端部を取り付けられているワイヤー７も同時に引っ張られることになる。そのため、ワイヤー７の他方の端部が取り付けられている係止部材６を介してコンストンばね５ａ，５ｂが引っ張られていく。このようにして係止部材６は、コンストンばね５ａ，５ｂの張力に抗して図２における下方向に移動させられていく。そして、係止部材６が、その係止用爪部６ａを撓ませながらストッパ部１ａを通過していく。そして、係止部材６の係止用爪部６ａがストッパ部１ａを通過すると、係止用爪部６ａは復元力により元の形状に戻る。そして、第２筒２を引く動作を停止すると、コンストンばね５ａ，５ｂの張力により係止部材６は図２における上方向にわずかに戻るが、その動きは係止用爪部６ａがストッパ部１ａの縁に係止されることで停止する。このようにして係止部材６が係止され、図５に示された状態となる。そして、このときのステッキの状態を図６（ａ）に示す。
【００２８】  この図６（ａ）に示された連結解除状態では、第２筒２はワイヤー７の端部がワイヤー固定部２Ａｄに固定されているため、ワイヤー７によって吊り下げられている。その一方で、中間筒３は、ワイヤー７は抜け止め部材１１の孔１１ａに挿通されてはいるが固定されてはいないため、ワイヤー７によっては吊り下げられていない。第１筒１と中間筒３との連結部では、両端に固定部材１２，１３を固定したワイヤー１０が抜け止め部材９，１１の孔９ｂ，１１ｂに挿通されているため、図６（ａ）の状態では、第１筒１の接触部１ｃと抜け止め部材９が接触するとともに抜け止め部材９と固定部材１２が接触し、同時に、中間筒３の接触部３ｂと抜け止め部材１１とが接触するとともに、抜け止め部材１１と固定部材１３とが接触することで、ワイヤー１０によって中間筒３が第１筒１から吊り下げられている。同様にして、中間筒４も、ワイヤー１０によって中間筒３から吊り下げられている。
【００２９】  この図６（ａ）に示された連結解除状態から、各筒を順に折り返していくと、図６（ｂ）に示された折り畳み状態となる。
【００３０】  折り畳み状態から連結状態にするときには、図６（ｂ）に示された状態から各筒の位置を戻して図６（ａ）に示された状態にする。その後に、係止解除ボタン８を押すことで、連結状態にする。
【００３１】  係止解除ボタン８を押したときの作動について、図１，２，５，６を用いて説明する。係止解除ボタン８を押すと、その先端部８ｂが係止部材６の係止用爪部６ａを押圧して撓ませる。そして、係止用爪部６ａが撓んでストッパ部１ａの縁から離れると、係止部材６は、コンストンばね５ａ，５ｂの張力により図５における上方に引き上げられる。そして、ストッパ部１ａを通過して係止用爪部６ａが元の形状に復元し、コンストンばね５ａ，５ｂの巻き上げが停止すると、図２に示された状態に戻る。
【００３２】  このとき、係止部材６に取り付けられているワイヤー７を介して第２筒２もコンストンばね５ａ，５ｂの張力により引き上げられる。その際に、第２筒２の筒２Ａの連結部２Ａａと、中間筒４の連結部４ａと、中間筒３の連結部３ａとは、テーパー部２Ａａ−２，４ａ−２，３ａ−２が、それぞれガイド部４ｂ−１，３ｃ−１，１ｂ−１によりガイドされるため、勢いよく引き上げられてもスムーズに連結部同士が連結する。そして、テーパー部２Ａａ−１，４ａ−１，３ａ−１が、それぞれガイド部４ｂ−１，３ｃ−１，１ｂ−１と面接触することで各筒の連結が完了し、図１に示された連結状態に戻る。
【００３３】  以上に述べたように、本発明に係る折り畳み式ステッキは、図６（ａ）に示されている連結解除状態では、ワイヤー７に張力がかかっていないため、各筒を折り畳む作業や、折り畳んだ状態から各筒をまっすぐに並べる作業がとても容易に行えるという利点がある。
【００３４】  また、本発明に係る折り畳み式ステッキは、連結解除状態から係止解除ボタン８を押すだけで連結状態とできるため、組み立ての手間を必要とせず扱いが非常に楽であるという利点がある。
【００３５】  また、本発明に係る折り畳み式ステッキは、この図６（ａ）に示されている連結解除状態では、中間筒３が第１筒１から吊り下げられていて、中間筒４が中間筒３から吊り下げられているため、筒同士の間隔が保たれることになり、折り畳み状態にするときに扱いやすいという利点がある。このような筒同士の間隔を保つための機構を備えていない場合には、第２筒２を引っ張った際に、中間筒４が第２筒２と連結状態になったまま移動してしまい、同時に中間筒３が中間筒４と連結状態になったまま移動してしまうことになる。そのため、折り畳み状態にするときに筒同士の連結状態を個別に解除しなくてはならないため手間が掛かる。しかし、本発明に係る折り畳み式ステッキは、第２筒２を引っ張っただけで、中間筒３，４も折り畳み状態とするために好適な位置で停止するため、取り扱いが非常に容易であるという利点がある。
【００３６】  また、本発明に係る折り畳み式ステッキは、各筒の連結部分に個別に短いワイヤー１０を配置している。この理由は、図６（ａ）のように連結解除状態としたときに、第１筒１の連結部１ｂから第２筒２の連結部２Ａａまで一本の長いワイヤーをわたした場合には、各筒の内部でワイヤー７と絡まりやすくなってしまうため、このようなことのないようにするために、各筒の連結部分に短いワイヤー１０を個別に配置したものである。このようにすることにより、ワイヤー１０とワイヤー７とが絡み合うことがなく、係止解除ボタン８を押したときに好適に連結状態にすることができる。しかし、ワイヤー同士が絡み合わないようにできるならば、一本のワイヤー１０を用いるようにしても構わない。
【００３７】  なお、実施例では、中間筒４と第２筒２との間の連結部には、ワイヤー１０と抜け止め部材９，１１を配置していないが、中間筒４と第２筒２との間の連結部に、他の連結部と同様に、両端に固定部材１２，１３を取り付けたワイヤー１０と、ワイヤー７とワイヤー１０を挿通する抜け止め部材９，１１を配置してもよい。
【００３８】  また、実施例では、第２筒２を二つの筒２Ａ，２Ｂで構成して長さ調節機構を設けているが、本発明に係る折り畳み式ステッキは、このような長さ調節機構を設けることは必須ではない。しかし、ステッキの適切な長さは使用者によって異なるため、長さ調節機構は設けられている方が好ましい。
【００３９】  また、実施例では、ばね部材５として定荷重ばねであるコンストンばねを用いているが、本発明に係る折り畳み式ステッキは、コンストンばね以外のばねを用いても構わない。しかし、定荷重方式のばねを用いた方が、使用者にとって操作しやすいため好ましい。
【００４０】  また、実施例では、第１筒１と第２筒２との間に二本の中間筒３，４を配置して全部で四本の筒からなる構成であるが、本発明に係る折り畳み式ステッキは、筒部材の本数は四本に限られず、折り畳み機構を備えているならば、何本であっても良い。
【００４１】  また、実施例では、第１筒１と中間筒３の間の連結部と、中間筒３と中間筒４の間の連結部に、ワイヤー１０と抜け止め部材９，１１を配置しているが、本発明に係る折り畳み式ステッキは、これらの部材を配置しなくてもよい。しかし、前述のように、これらの部材を配置した方が、連結解除状態における取り扱いが容易となる。
【符号の説明】
【００４２】１          第１筒
１ａ        ストッパ部
１ｃ，３ｂ  接触部
２          第２筒
３，４      中間筒
５          ばね部材
６          係止部材
６ａ        係止用爪部
７，１０    ワイヤー
８          係止解除ボタン
９，１１    抜け止め部材
１２，１３  固定部材
【要約】      （修正有）【課題】折り畳み状態から連結状態にする際に各部品が連結紐の弾性により勝手に動かされることがなく、しかも、簡単な操作で連結状態にすることが可能な折り畳み式ステッキを提供する。【解決手段】グリップを備えている第１筒１と石突を備えている第２筒とを結ぶワイヤー７を、第１筒１に備えられているばね部材５を用いて付勢するとともに、ワイヤー７を取り付けている係止部材６を係止できるようにしたので、折り畳み状態から連結状態にする際に、ばね部材５の付勢力の影響を受けずに操作することができる。また、係止部材６の係止を解除するための係止解除ボタン８を設けたので、簡単な操作で連結状態とすることができる。【選択図】図２【図１】
0005800210.tif 000002
【図２】
0005800210.tif 000003
【図３】
0005800210.tif 000004
【図４】
0005800210.tif 000005
【図５】
0005800210.tif 000006
【図６】
0005800210.tif 000007